(57)【要約】【課題】作業者から離隔した位置に設けられた弁の操作や、柵を挟んだ位置に設けられた弁の操作を容易に行うことが可能な弁操作棒を提供する。【解決手段】弁操作棒１は、作業者から離隔した位置や、柵越しに弁を回転させて弁の操作を行う装置であり、棒状に設けられた操作棒本体１０と、操作棒本体１０に固定されて操作棒本体１０を回転させるハンドル２０と、操作棒本体１０に固定されてハンドル２０の回転に伴って回転し、弁に係止して回転させる操作体３０とを備えている。操作棒本体１０は、第１の棒状部１１と、第２の棒状部１２と、第１の棒状部１１の回転軸と第２の棒状部１２の回転軸とのなす角を自在に変化させる連結部１３とを備えている。操作体３０は、基部３１と、弁に係止される係止部３２とを備えている。【選択図】  図１
2018144114.tif 000002
【特許請求の範囲】
【請求項１】
棒状で、一端側にハンドルが設けられた操作棒本体と、
前記操作棒本体の他端側に設けられ、弁に係止する係止部を有する操作体と、を備え、
前記係止部を弁に係止させた状態で、前記ハンドルを回すことで前記操作体が回って前記弁が操作され、前記操作棒本体の回転軸と前記操作体の回転軸とのなす角が変化自在に前記操作棒本体と前記操作体とが連結されている、
ことを特徴とする弁操作棒。
【請求項２】
前記係止部の位置が変更自在となっている、
ことを特徴とする請求項１に記載の弁操作棒。
【請求項３】
前記係止部に滑り止めが設けられている、
ことを特徴とする請求項１または２のいずれか１項に記載の弁操作棒。
【発明の詳細な説明】
【技術分野】
【０００１】
この発明は、発電所等の配管ラック上に設置された配管の弁を操作する弁操作棒に関する。
【背景技術】
【０００２】
発電所のような施設の構内には、水や排水、薬品、空気等を発電所内の所定の施設に送るための配管が敷設されている。この配管には、中に流されている水等の流れの開閉制御を行ったり、流量を制御したりする弁が設けられている。また、この配管は、例えば発電所内の高所に設けられた配管ラックにより支持されている。
【０００３】
図８は、発電所Ｅの構内に敷設された配管１００の状態の例を示す斜視図である。この発電所Ｅには、例えば発電所の設備として複数の建屋が設けられており、その建屋の間に水や排水、薬品、空気等を送るための配管１００が、鉄骨等で設けられた構造物により高所に敷設されている。この配管１００は、鉄骨等で設けられた配管ラックＲに載置されており、配管ラックＲ上の配管１００には、配管１００の中に流されている水等の流れの開閉制御や流量の制御を行う弁２００が取り付けられている。また、この配管１００に隣接するように、作業者が通行する歩廊Ｗが配管１００に沿って設けられている。この歩廊Ｗの両脇には、作業者の安全のために歩廊Ｗに沿って柵Ｈが設けられている。
【０００４】
図９は、図８の弁２００を示す図であり、平面図（ａ）、及び正面図（ｂ）である。この弁２００は、主として配管１００に連結される連結部２０１と、水等の流れを制御する弁体が収容されている弁本体部２０２と、弁ハンドル２０４が回転するための回転軸２０３と、回転することで水等の流れを操作する弁ハンドル２０４とを備え、２つの接続部２０１がそれぞれ配管１００に連結されている。弁２００は、弁ハンドル２０４を回転させることにより、開閉制御や流量の制御を行っている。
【０００５】
図８に示すように、配管１００は、歩廊Ｗから離隔した位置に配置されていることがある。そして、配管ラックＲ上の弁２００が取り付けられている位置には、作業者が弁２００に近付くための足場が設けられていない。そのため、このような弁２００の操作を行う場合、歩廊Ｗの柵Ｈを一時的に取り外して弁２００の近傍まで足場を設置し、その足場により作業者が弁２００に近づいて弁２００の操作を行い、終了後に足場を撤去して再度柵Ｈを設けている。
【０００６】
このような弁２００の操作を簡便に行うため、弁ハンドル２０４に係止し、てこの原理を利用して弁ハンドル２０４に強いトルクを加える、ウィルキーと呼ばれる工具が知られている。また、ウィルキーは弁ハンドル２０４の形状により異なるものを使用する必要があるが、弁ハンドル２０４の形状によらずに使用可能なハンドル回転用工具が知られている（例えば、特許文献１参照。）。
【先行技術文献】
【特許文献】
【０００７】
【特許文献１】特開２００８−１４２８４５号公報
【発明の概要】
【発明が解決しようとする課題】
【０００８】
ところで、従来より知られているウィルキーは、手動で弁の操作を行うのを補助する工具であるため、離隔した位置に設けられた弁の操作を行うには不便なものである。また、特許文献１に記載のハンドル回転用工具は、水平方向に離隔した位置の弁を操作することは可能であるが、図８に示すような歩廊Ｗから高さ方向に離隔した位置に設けられた弁の操作を行ったり、柵Ｈを挟んだ位置に設けられた弁の操作を行ったりするには、不向きなものであった。
【０００９】
そこでこの発明は、作業者から離隔した位置に設けられた弁の操作や、柵のような障害物を挟んだ位置に設けられた弁の操作を容易に行うことが可能な弁操作棒を提供することを目的とする。
【課題を解決するための手段】
【００１０】
上記課題を解決するために、請求項１の発明は、棒状で、一端側にハンドルが設けられた操作棒本体と、前記操作棒本体の他端側に設けられ、弁に係止する係止部を有する操作体と、を備え、前記係止部を弁に係止させた状態で、前記ハンドルを回すことで前記操作体が回って前記弁が操作され、前記操作棒本体の回転軸と前記操作体の回転軸とのなす角が変化自在に前記操作棒本体と前記操作体とが連結されている、ことを特徴とする弁操作棒である。
【００１１】
請求項２の発明は、請求項１に記載の弁操作棒において、前記係止部の位置が変更自在となっている、ことを特徴とする。
【００１２】
請求項３の発明は、請求項１または２のいずれか１項に記載の弁操作棒において、前記係止部に滑り止めが設けられている、ことを特徴とする。
【発明の効果】
【００１３】
請求項１の発明によれば、操作棒本体の一端側にハンドルが設けられ、他端側に弁に係止する係止部が設けられ、ハンドルを回すことで操作体が回って弁が操作されるので、他端側の係止部を作業者から離隔した弁に係止させることにより、作業者から離隔した位置に設けられた弁の操作が可能になる。また、操作棒本体の回転軸と操作体の回転軸とのなす角が変化自在に連結されているので、歩廊上の作業者が姿勢を変えることが困難な場合、例えば作業者と弁との間に柵のような障害物が設けられているような場合であっても、弁までの足場を設けることなく、弁の操作を簡便に行うことが可能になる。
【００１４】
請求項２の発明によれば、操作体に設けられた係止部の位置が変更自在となっているため、弁の形状によらずに係止部を弁に係止させて、弁の操作を行うことが可能になる。
【００１５】
請求項３の発明によれば、操作体に設けられた係止部に滑り止めが設けられているため、係止部が弁から滑って外れてしまうことを防止するので、係止部が弁に対して確実に係止される。
【図面の簡単な説明】
【００１６】
【図１】この発明の実施の形態１に係る弁操作棒１の概略を示す斜視図である。
【図２】図１の連結部１３を示す拡大斜視図である。
【図３】図１の操作体３０を示す拡大斜視図である。
【図４】図１の弁操作棒１を使用して弁２００を操作する状態を示す斜視図である。
【図５】この発明の実施の形態２に係る弁操作棒の操作体３０Ａを示す拡大斜視図である。
【図６】この発明の実施の形態３に係る弁操作棒の操作体３０Ｂを示す拡大斜視図である。
【図７】この発明の実施の形態４に係る弁操作棒の操作体３０Ｃを示す拡大斜視図である。
【図８】発電所Ｅの構内に敷設された配管１００の状態の例を示す斜視図である。
【図９】図８の弁２００を示す図であり、平面図（ａ）、及び正面図（ｂ）である。
【発明を実施するための形態】
【００１７】
以下、この発明を図示の実施の形態に基づいて説明する。
【００１８】
（実施の形態１）
図１ないし図４は、この発明の実施の形態１に係る弁操作棒１を示している。図１は、弁操作棒１の概略を示す斜視図であり、図２は、図１の連結部１３を示す拡大斜視図であり、図３は、図１の操作体３０を示す拡大斜視図である。この弁操作棒１は、図９に示す弁２００のように、弁ハンドル２０４を回転させることにより配管１００内に流されている水等の開閉制御や流量の制御を行う弁を、作業者から離隔した位置や、図９に示すような柵Ｈ越しに操作する装置であり、主として操作棒本体１０と、ハンドル２０と、操作体３０とを備えている。
【００１９】
操作棒本体１０は、棒状に設けられた弁操作棒１の本体部分であり、主として第１の棒状部１１と、第２の棒状部１２と、連結部１３とを備えている。第１の棒状部１１は、断面略円形の棒状に形成された部材であり、一端にハンドル２０が設けられ、他端は連結部１３を介して第２の棒状部１２と連結されている。第２の棒状部１２は、断面略円形の棒状に形成された部材であり、一端に操作体３０が設けられ、他端は連結部１３を介して第１の棒状部１１と連結されている。第１の棒状部１１及び第２の棒状部１２は、例えば、ステンレス鋼等の金属部材により形成されている。
【００２０】
連結部１３は、第１の棒状部１１と第２の棒状部１２との連結角度を変更自在に連結し、かつ、第１の棒状部１１を、例えば図１の矢印Ｂ方向に回転させると、第２の棒状部１２が同一の回転方向である矢印Ｃ方向に回転するように連結する部材であり、例えば自在継手（ユニバーサルジョイント）により構成されている。この連結部１３は、図２に示すように、主として第１継手１３１と、第２継手１３２と、ジョイント金具１３３とにより構成されている。
【００２１】
第１継手１３１は、第１の棒状部１１の先端から並行する２つの平板状に延設され、ジョイント金具１３３を挟持する部材である。第２継手１３２は、第２の棒状部１２の先端から並行する２つの平板状に延設され、第１継手１３１が挟持する方向の垂直方向からジョイント金具１３３を挟持する部材である。ジョイント金具１３３は、第１継手１３１と第２継手１３２とを連結する部材であり、第１継手１３１に挟持されてその挟持方向を軸として回転自在であり、かつ、第２継手１３２に挟持されてその挟持方向を軸として回転自在であることにより、第１の棒状部１１と第２の棒状部１２との連結角度を変更自在にする部材である。
【００２２】
ハンドル２０は、第１の棒状部１１の一端に固定され、第１の棒状部１１を回転させる部材である。すなわち、ハンドル２０を例えば図１の矢印Ａ方向に回転すると、第１の棒状部１１が同一の回転方向である矢印Ｂ方向に回転するように構成されている。このハンドル２０は、例えばステンレス鋼等の金属部材により形成されている。
【００２３】
操作体３０は、第２の棒状部１２の一端に固定され、第２の棒状部１２の回転に伴って回転し、図９に示すような弁２００の弁ハンドル２０４に係止して弁ハンドル２０４を回転させる部材である。すなわち、第２の棒状部１２が例えば図１の矢印Ｃ方向に回転すると、操作体３０が同一の回転方向である矢印Ｄ方向に回転するように構成されている。この操作体３０は、図３に示すように、主として基部３１と、係止部３２とにより構成されている。基部３１は、第２の棒状部１２に固定されて第２の棒状部１２の回転に伴って回転する円板状の部材である。係止部３２は、弁に係止される部材であり、例えば図９の弁ハンドル２０４のように環状の把持部と、把持部から中央方向に延設された５本の支持部材がある場合、支持部材に係止する部材である。この係止部３２は、略円柱状であり、基部３１が第２の棒状部１２に固定されている面の反対側に、第２の棒状部１２の軸心を中心とする同一円周上に等角度間隔で、例えば５本配置されている。
【００２４】
なお、係止部３２は、弁ハンドルの形状に合わせて、個数、基部３１上の位置、及び形状を変更しても良い。例えば、弁ハンドルの支持部材の本数に合わせて個数を変更しても良く、大きさの異なる弁ハンドルに係止しやすいように、垂体（例えば、円錐形）に形成しても良い。
【００２５】
次に、このような弁操作棒１の作用等について、以下に説明する。
【００２６】
図４は、図１の弁操作棒１を使用して、作業者Ｍが歩廊Ｗから柵Ｈを挟んだ位置に設けられている、図９に示す弁２００を例として操作する状態を示す斜視図である。まず、作業者Ｍは、歩廊Ｗから柵Ｈの反対側へ弁操作棒１の操作体３０側を移動し、連結部１３の連結角度を調節して操作体３０を弁ハンドル２０４の上に載置して、係止部３２を弁ハンドル２０４の支持部材に係止する。そして、ハンドル２０を把持して、例えば矢印Ａ方向に回転させると、第１の棒状部１１が矢印Ｂ方向に回転する。第１の棒状部１１が矢印Ｂ方向に回転すると、連結部１３を介して第２の棒状部１２が矢印Ｃ方向に回転する。第２の棒状部１２が矢印Ｃ方向に回転すると、操作体３０が矢印Ｄ方向に回転する。操作体３０が矢印Ｄ方向に回転すると、係止部３２の係止により弁ハンドル２０４も矢印Ｄ方向に回転するので、弁２００が操作される。また、ハンドル２０を矢印Ａと逆方向に回転させると、第１の棒状部１１、第２の棒状部１２、及び操作体３０がそれぞれ矢印Ｂ，Ｃ，Ｄと逆方向に回転し、弁ハンドル２０４も矢印Ｄと逆方向に回転するので、弁２００が操作される。これにより、作業者Ｍが弁２００を操作することができる。また、連結部１３の連結角度を調節することにより、ハンドル２０及び第１の棒状部１１の回転軸と第２の棒状部１２及び操作体３０の回転軸とのなす角を自在に変化させることができる。
【００２７】
このように、この弁操作棒１によれば、第１の棒状部１１の一端にハンドル２０を備え、第２の棒状部１２の一端に係止部３２が設けられた操作体３０を備え、ハンドル２０を回転させると、第１の棒状部１１、第２の棒状部１２、及び操作体３０が回転して弁２００の弁ハンドル２０４が操作されるので、歩廊Ｗから離隔した位置に弁２００が設けられていても、作業者Ｍは弁２００を操作することが可能になる。また、第１の棒状部１１と第２の棒状部１２との連結角度を変更自在な連結部１３を設けたことにより、ハンドル２０及び第１の棒状部１１の回転軸と第２の棒状部１２及び操作体３０の回転軸とのなす角を自在に変化させることができるので、歩廊Ｗ上の作業者Ｍが姿勢を変えることが困難な場合、例えば柵Ｈのような障害物を挟んだ位置に弁２００が設けられていても、作業者Ｍは弁２００までの足場を設けることなく、弁２００を簡便に操作することが可能になる。
【００２８】
（実施の形態２）
図５は、この発明の実施の形態２に係る弁操作棒の操作体３０Ａを示す拡大斜視図である。この操作体３０Ａを備える弁操作棒は、実施の形態１に係る弁操作棒１と同様に、弁ハンドルを回転させることにより配管１００内に流されている水等の開閉制御や流量の制御を行う弁を、離隔した位置や柵Ｈ越しに操作する装置であり、図１に示す操作体３０に替えて、操作体３０Ａを備えている。操作体３０Ａは、係止部３２に替えて、係止部３２Ａと、溝３３とを備えている。その他の構成については、実施の形態１に係る弁操作棒１と同様である。
【００２９】
係止部３２Ａは、弁に係止される部材である点において、実施の形態１に係る係止部３２と同様であるが、溝３３に沿って矢印Ｅ方向に位置を変更可能に構成され、基部３１が第２の棒状部１２に固定されている面の反対側に、略円柱状に例えば５本形成されている。この係止部３２Ａは、５本の係止部３２Ａのうちの１本を矢印Ｅ方向に移動させると、他の４本も同様に溝３３に沿って前後に移動し、第２の棒状部１２の軸心に対して同一円周上に配置されている。これは、例えば、溝３３の内部にそれぞれスライド機構を備え、かつ、５つのスライド機構が連動して動作するようなリンク機構を備えていることによる。また、係止部３２Ａは回動可能になっており、所定の位置の場合にスライド可能であり、所定の角度だけ回動させるとスライドせずに固定するようなロック機構を備えている。溝３３は、係止部３２Ａを案内する溝であり、基部３１の中心から半径方向に等角度間隔で放射状に、例えば５本設けられている。これにより、弁ハンドルが異なる形状であっても、弁ハンドルの形状によらずに係止部３２Ａを弁ハンドルに係止させて、弁の操作を行うことが可能になる。
【００３０】
（実施の形態３）
図６は、この発明の実施の形態３に係る弁操作棒の操作体３０Ｂを示す拡大斜視図である。この操作体３０Ｂを備える弁操作棒は、実施の形態１に係る弁操作棒１と同様に、弁ハンドルを回転させることにより配管１００内に流されている水等の開閉制御や流量の制御を行う弁を、離隔した位置や柵Ｈ越しに操作する装置であり、図１に示す操作体３０に替えて、操作体３０Ｂを備えている。操作体３０Ｂは、操作体３０の構成に加えて、滑り止め３４を備えている。その他の構成については、実施の形態１に係る弁操作棒１と同様である。
【００３１】
滑り止め３４は、弁ハンドルに係止されたときに操作体３０Ｂが弁ハンドルから滑って外れてしまうことを防止する部材であり、例えば、ゴムのような滑りを防止する樹脂等により構成され、５本の係止部３２の先端にそれぞれ取り付けられている。これにより、係止部３２が弁ハンドルから滑って外れてしまうことを防止するので、係止部３２が弁ハンドルに対して確実に係止される。
【００３２】
（実施の形態４）
図７は、この発明の実施の形態４に係る弁操作棒の操作体３０Ｃを示す拡大斜視図である。この操作体３０Ｃを備える弁操作棒は、実施の形態１に係る弁操作棒１と同様に、弁ハンドルを回転させることにより配管１００内に流されている水等の開閉制御や流量の制御を行う弁を、離隔した位置や柵Ｈ越しに操作する装置であり、図１に示す操作体３０に替えて、操作体３０Ｃを備えている。操作体３０Ｃは、係止部３２に替えて、係止部３２Ｃを備えている。その他の構成については、実施の形態１に係る弁操作棒１と同様である。
【００３３】
係止部３２Ｃは、弁に係止される部材である点において、実施の形態１に係る係止部３２と同様であるが、例えば、基部３１に螺子孔が設けられ、係止部３２Ｃに螺子が設けられ、この螺子を基部３１の螺子孔に螺合することにより基部３１に対して取り外し自在に構成されている。また、図７に示す係止部３２Ｃは、大きさの異なる弁ハンドルに係止しやすいようにするため、円錐形状であるが、円柱形状のものや、弁ハンドルに係止した状態を維持しやすいように凹凸を有する形状のように複数形状のものがあり、それぞれアタッチメントのように交換可能に構成されている。これにより、弁ハンドルの形状に合わせて、個数や形状を自在に変更可能であるため、弁ハンドルの形状によらずに係止部３２Ｃを弁ハンドルに係止させて、弁の操作を行うことが可能になる。
【００３４】
以上、この発明の実施の形態について説明したが、具体的な構成は、上記の実施の形態に限られるものではなく、この発明の要旨を逸脱しない範囲の設計の変更等があっても、この発明に含まれる。例えば、上述した実施の形態では、操作棒本体１０を第１の棒状部１１と、第２の棒状部１２と、連結部１３とにより構成したが、第２の棒状部１２を省略して連結部１３が直接操作体３０に連結されるように構成しても良い。
【００３５】
また、連結部１３は、ハンドル２０及び第１の棒状部１１の回転軸と第２の棒状部１２及び操作体３０の回転軸とのなす角を自在に変化させることができるように構成したが、１つの垂直面内のみでハンドル２０及び第１の棒状部１１の回転軸と、第２の棒状部１２及び操作体３０の回転軸とのなす角を変化させるように構成しても良い。
【００３６】
また、発明の実施の形態２において、溝３３を基部３１の中心から円周方向に５本設けたが、例えば、基部３１の中心から螺旋状に設け、係止部３２Ａが螺旋状に動くように構成しても良い。
【００３７】
さらに、発明の実施の形態３において、滑り止め３４をゴムのような弾性を有する樹脂等により構成したが、係止部３２の表面に細かい凹凸を設けるローレット加工を施すように構成しても良い。これにより、発明の実施の形態３における滑り止め３４が係止部３２から外れてしまうことを防止しつつ、係止部３２が弁ハンドルから滑って外れてしまうことを防止することができる。
【符号の説明】
【００３８】
１                                弁操作棒
１０                              操作棒本体
１１                              第１の棒状部
１２                              第２の棒状部
１３                              連結部
１３１                            第１継手
１３２                            第２継手
１３３                            ジョイント金具
２０                              ハンドル
３０，３０Ａ，３０Ｂ，３０Ｃ      操作体
３１                              基部
３２，３２Ａ，３２Ｃ              係止部
３３                              溝
３４                              滑り止め
１００                            配管
２００                            弁
２０１                            連結部
２０２                            弁本体部
２０３                            回転軸
２０４                            弁ハンドル
Ｈ                                柵
Ｗ                                歩廊
【図１】
2018144114.tif 000003
【図２】
2018144114.tif 000004
【図３】
2018144114.tif 000005
【図４】
2018144114.tif 000006
【図５】
2018144114.tif 000007
【図６】
2018144114.tif 000008
【図７】
2018144114.tif 000009
【図８】
2018144114.tif 000010
【図９】
2018144114.tif 000011